(57)【要約】  合成通貨を形成する方法であって、資金を、少なくとも１つの第１の通貨で第１の金利にて借入する手順と、借入した上記資金の一部を、少なくとも１つの第２の通貨に両替する手順と、上記第１の通貨で借入した上記資金の借入費用の少なくとも一部を補填する利払いがある投資物件に借入した上記資金の上記一部を投資する手順と、借入した上記資金の残余部に基づいて第３の通貨を提供する手順と、を備えることを特徴とする方法。
2010520545.tif 000002
【特許請求の範囲】
【請求項１】
合成通貨を形成する方法であって、
資金を、少なくとも１つの第１の通貨で第１の金利にて借入する手順と、
借入した前記資金の一部を、少なくとも１つの第２の通貨に両替する手順と、
前記第１の通貨で借入した前記資金の借入費用の少なくとも一部を補填する利払いがある投資物件に、借入した前記資金の前記一部を投資する手順と、
借入した前記資金の残余部に基づいて第３の通貨を提供する手順と、
を備えることを特徴とする方法。
【請求項２】
請求項１に記載の方法であって、
前記第３の通貨に付随するリスクは、前記第１および第２の通貨の為替レートの変動に関連する
ことを特徴とする方法。
【請求項３】
請求項１に記載の方法であって、
前記投資手順は、デリバティブ契約に投資することを含む
ことを特徴とする方法。
【請求項４】
請求項１に記載の方法であって、
前記投資手順は、借入した前記資金の前記一部を貸し付けることを含む
ことを特徴とする方法。
【請求項５】
請求項１に記載の方法であって、
前記投資物件は、前記借入費用に加えて手数料を補填する利払いがある
ことを特徴とする方法。
【請求項６】
請求項１に記載の方法であって、
前記少なくとも１つの第１の通貨は、複数種類の通貨を含む
ことを特徴とする方法。
【請求項７】
請求項１に記載の方法であって、
前記少なくとも１つの第２の通貨は、複数種類の通貨を含む
ことを特徴とする方法。
【請求項８】
請求項１に記載の方法であって、
前記投資手順は、借入した前記資金のその借入のための総費用を少なくとも補填する利払いがある投資物件に、借入した前記資金の前記一部を投資することを含む
ことを特徴とする方法。
【請求項９】
請求項８に記載の方法であって、
借入した前記資金の前記残余部に基づく、第３の通貨の前記提供手順は、前記第３の通貨を０パーセントの金利で提供することを含む
ことを特徴とする方法。
【請求項１０】
請求項８に記載の方法であって、
借入した前記資金の前記残余部に基づく、第３の通貨の前記提供手順は、前記第３の通貨を正の金利で提供することを含む
ことを特徴とする方法。
【請求項１１】
請求項１に記載の方法であって、
前記投資手順は、前記資金を借入するための総費用に満たない額を補填する利払いがある投資物件に、借入する前記資金の前記一部を投資することを含む
ことを特徴とする方法。
【請求項１２】
請求項１１に記載の方法であって、
借入した前記資金の前記残余部に基づく、第３の通貨の前記提供手順は、前記第３の通貨を負の金利で提供することを含む
ことを特徴とする方法。
【請求項１３】
請求項１に記載の方法であって、
前記合成通貨を電子通貨媒体で提供する手順
をさらに備えることを特徴とする方法。
【請求項１４】
請求項１３に記載の方法であって、
前記電子通貨媒体は、電子マネーである
ことを特徴とする方法。
【請求項１５】
請求項１３に記載の方法であって、
前記電子通貨媒体は、電子スマートカードである
ことを特徴とする方法。
【請求項１６】
請求項１に記載の前記方法を用いて形成される合成通貨の貸付方法であって、
前記合成通貨を、利益を生む金利にて貸し付けること
を含むことを特徴とする方法。
【請求項１７】
請求項１に記載の前記方法を用いて形成される合成通貨の貸付方法であって、
前記合成通貨を、利益を生む手数料にて貸し付けること
を含むことを特徴とする方法。
【請求項１８】
合成通貨を生成する方法を実行するためのコンピュータ実行可能命令を有する、コンピュータ可読媒体であって、
前記方法は、
資金を、少なくとも１つの第１の通貨で第１の金利にて借入する手順と、
借入した前記資金の一部を、少なくとも１つの第２の通貨に両替する手順と、
前記第１の通貨で借入した前記資金の借入費用の少なくとも一部を補填する利払いがある投資物件に、借入した前記資金の前記一部を投資する手順と、
借入した前記資金の残余部に基づいて第３の通貨を提供する手順と、
を備える
ことを特徴とするコンピュータ可読媒体。
【請求項１９】
請求項１８に記載のコンピュータ可読媒体であって、
前記第３の通貨に付随するリスクは、前記第１および第２の通貨の為替レートの変動に関連する
ことを特徴とするコンピュータ可読媒体。
【請求項２０】
請求項１８に記載のコンピュータ可読媒体であって、
前記投資手順は、デリバティブ契約に投資することを含む
ことを特徴とするコンピュータ可読媒体。
【請求項２１】
請求項１８に記載のコンピュータ可読媒体であって、
前記投資手順は、借入した前記資金の前記一部を貸し付けることを含む
ことを特徴とするコンピュータ可読媒体。
【請求項２２】
請求項１８に記載のコンピュータ可読媒体であって、
前記投資物件は、前記借入費用に加えて手数料を補填する利払いがある
ことを特徴とするコンピュータ可読媒体。
【請求項２３】
請求項１８に記載のコンピュータ可読媒体であって、
前記少なくとも１つの第１の通貨は、複数種類の通貨を含む
ことを特徴とするコンピュータ可読媒体。
【請求項２４】
請求項１８に記載のコンピュータ可読媒体であって、
前記少なくとも１つの第２の通貨は、複数種類の通貨を含む
ことを特徴とするコンピュータ可読媒体。
【請求項２５】
請求項１８に記載のコンピュータ可読媒体であって、
前記投資手順は、借入した前記資金のその借入のための総費用を少なくとも補填する利払いがある投資物件に、借入した前記資金の前記一部を投資することを含む
ことを特徴とするコンピュータ可読媒体。
【請求項２６】
請求項２５に記載のコンピュータ可読媒体であって、
借入した前記資金の前記残余部に基づく、第３の通貨の前記提供手順は、前記第３の通貨を０パーセントの金利で提供することを含む
ことを特徴とするコンピュータ可読媒体。
【請求項２７】
請求項２５に記載のコンピュータ可読媒体であって、
借入した前記資金の前記残余部に基づく、第３の通貨の前記提供手順は、前記第３の通貨を正の金利で提供することを含む
ことを特徴とするコンピュータ可読媒体。
【請求項２８】
請求項１８に記載のコンピュータ可読媒体であって、
前記投資手順は、前記資金を借入するための総費用に満たない額を補填する利払いがある投資物件に、借入する前記資金の前記一部を投資することを含む
ことを特徴とするコンピュータ可読媒体。
【請求項２９】
請求項２８に記載のコンピュータ可読媒体であって、
借入した前記資金の前記残余部に基づく、第３の通貨の前記提供手順は、前記第３の通貨を負の金利で提供することを含む
ことを特徴とするコンピュータ可読媒体。
【請求項３０】
合成通貨を形成するシステムであって、
投資額算出装置と、
合成通貨生成装置と、
を備え、
前記投資額算出装置は、
少なくとも１つの第１の通貨で、第１の金利にて借入される資金を算出し、
その資金は、少なくとも１つの第２の通貨に両替され、前記第１の通貨で借入した前記資金の借入費用の少なくとも一部を補填する利払いがある投資物件に投資される資金であり、
前記合成通貨生成装置は、
借入した前記資金の残余部に基づいて第３の通貨を提供する
ことを特徴とするシステム。
【請求項３１】
請求項３０に記載のシステムであって、
前記第３の通貨に付随するリスクは、前記第１および第２の通貨の為替レートの変動に関連する
ことを特徴とするシステム。
【請求項３２】
請求項３０に記載のシステムであって、
両替された前記資金は、デリバティブ契約に投資される
ことを特徴とするシステム。
【請求項３３】
請求項３０に記載のシステムであって、
両替された前記資金は、貸付として投資される
ことを特徴とするシステム。
【請求項３４】
請求項３０に記載のシステムであって、
前記投資物件は、前記借入費用に加えて手数料を補填する利払いがある
ことを特徴とするシステム。
【請求項３５】
請求項３０に記載のシステムであって、
前記少なくとも１つの第１の通貨は、複数種類の通貨を含む
ことを特徴とするシステム。
【請求項３６】
請求項３０に記載のシステムであって、
前記少なくとも１つの第２の通貨は、複数種類の通貨を含む
ことを特徴とするシステム。
【請求項３７】
請求項３０に記載のシステムであって、
前記両替された資金は、借入した前記資金のその借入のための総費用を少なくとも補填する利払いがある投資物件に投資される
ことを特徴とするシステム。
【請求項３８】
請求項３７に記載のシステムであって、
前記第３の通貨は、０パーセントの金利を有する
ことを特徴とするシステム。
【請求項３９】
請求項３７に記載のシステムであって、
前記第３の通貨は、正の金利を有する
ことを特徴とするシステム。
【請求項４０】
請求項３０に記載のシステムであって、
前記投資物件は、前記資金を借入するための総費用に満たない額を補填する利払いがある
ことを特徴とするシステム。
【請求項４１】
請求項４０に記載のシステムであって、
前記第３の通貨は、負の金利で提供される
ことを特徴とするシステム。
【発明の詳細な説明】
【発明の詳細な説明】
【０００１】
［発明の分野］
本発明は、合成通貨を生成するためのシステムおよび方法に関する。
［発明の背景］
通貨とは、商品およびサービスの移転を容易にする、交換単位であると定義され得る。それは貨幣の一形態であり、貨幣は効率的な交換媒体である。貨幣はまた、中央銀行、省庁、または政府に対して申し立てを行うことによって生じる、価値の蓄積ともみなされ得る。
【０００２】
合成通貨は、いかなる中央政府、中央省庁、または中央銀行からも裏付けがない、経済的価値の測定単位である（それゆえに「合成」という用語を用いる）。合成通貨の価値は、他の資産（例えば、他の通貨）の価値の関数として定義され得る。合成通貨は、その合成通貨の特徴を定義するのに役立つ、一連の計量単位を更に有し得る。その例としては、第三者から／第三者に、合成通貨を借入／投資する際に、どれほどの損失／利益が生じるか、を表す金利が挙げられる。
【０００３】
合成通貨は、多くの目的を果たし得る。例えば、ある国では、自国の通貨を米ドル（または、ユーロ等）に連動させるかもしれないが、政治的、文化的、社会的、もしくはその他の理由により、米ドルは含まないが価値が米ドルとともに徐々に変動する、通貨バスケットまたは合成通貨に連動させることが望ましいと考えるだろう。合成通貨は自身の資金調達目的でグローバル債またはその他の有価証券を発行する大企業（公的／民間問わず）や国家政府によっても使用され得る。その結果、投資家の国家主義的選好、投資的選好、または政治的選好に応えることができる。また、合成通貨は為替動向を調査する際にも使用され得る。いかなる経済取引においても、合成通貨は、その取引を容易にする計量単位を提供する程度に使用され得る。
【０００４】
さらに、外国為替市場の規模および人気が増大するにつれて、投資家は、これらの市場において収益を最大にするための戦略を策定してきた。そのような戦略の一つは、「フォワード・バイアス」として知られ、高利回り通貨の長期間の為替レートの高騰（切り上げ）を利用するものであり、それらの高利回りの通貨に投資することによる戦略である。この投資戦略のよく知られている形態が、キャリートレードである。キャリートレードでは、投資家は、米ドルのような低金利通貨で借入をすることによって売りポジションをとり、その後、オーストラリア・ドルのようなより高金利である通貨で、買いポジションをとる。キャリートレードを行う際に、投資家は、為替レートは金利差を相殺するほどには変動しないことを基本的にはあてにしている。
【０００５】
したがって、キャリートレード戦略によってもたらされる利益を有効利用する、合成通貨を生成するためのシステムおよび方法が必要である。
［発明の概要］
本発明の例示的実施形態による合成通貨を形成する方法は、資金を、少なくとも１つの第１の通貨で第１の金利にて借入する手順と、借入した上記資金の一部を、少なくとも１つの第２の通貨に両替する手順と、上記第１の通貨で借入した上記資金の借入費用の少なくとも一部を補填する利払いがある投資物件に、借入した上記資金の上記一部を投資する手順と、借入した上記資金の残余部に基づいて第３の通貨を提供する手順と、を備える。
【０００６】
少なくとも１つの実施形態において、上記第３の通貨に付随するリスクは、上記第１および第２の通貨の為替レートの変動に関連する。
少なくとも１つの実施形態において、上記投資手順は、デリバティブ契約に投資することを含む。
【０００７】
少なくとも１つの実施形態において、上記投資手順は、借入した上記資金の上記一部を貸し付けることを含む。
少なくとも１つの実施形態において、上記投資物件は、上記借入費用に加えて手数料を補填する利払いがある。
【０００８】
少なくとも１つの実施形態において、上記少なくとも１つの第１の通貨は、複数種類の通貨を含む。
少なくとも１つの実施形態において、上記少なくとも１つの第２の通貨は、複数種類の通貨を含む。
【０００９】
少なくとも１つの実施形態において、上記投資手順は、借入した上記資金のその借入のための総費用を少なくとも補填する利払いがある投資物件に、借入した上記資金の上記一部を投資することを備える。
【００１０】
少なくとも１つの実施形態において、借入した上記資金の上記残余部に基づく第３の通貨の上記提供手順は、上記第３の通貨を０パーセントの金利で提供することを含む。
少なくとも１つの実施形態において、借入した上記資金の上記残余部に基づく第３の通貨の上記提供手順は、上記第３の通貨を正の金利で提供することを含む。
【００１１】
少なくとも１つの実施形態において、上記投資手順は、上記資金を借入するための総費用に満たない額を補填する利払いがある投資物件に、借入した上記資金の上記一部を投資することを含む。
【００１２】
少なくとも１つの実施形態において、借入した上記資金の上記残余部に基づく第３の通貨の上記提供手順は、上記第３の通貨を負の金利で提供することを含む。
本発明の例示的実施形態による合成通貨の貸付方法は、上記合成通貨を、利益を生む金利で貸し付けることを含み、上記合成通貨は、次の手順によって生成される。すなわち、資金を、少なくとも１つの第１の通貨で第１の金利にて借入する手順と、借入した上記資金の一部を少なくとも１つの第２の通貨に両替する手順と、上記第１の通貨で借入した上記資金の借入費用の少なくとも一部を補填する利払いがある投資物件に、借入した上記資金の上記一部を投資する手順と、借入した上記資金の残余部に基づいて第３の通貨を提供する手順と、によって生成される。
【００１３】
少なくとも１つの実施形態において、上記貸付方法は、上記合成通貨を、利益を生む手数料で貸し付けることを含む。
本発明の例示的実施形態によれば、コンピュータ可読媒体は、合成通貨を生成する方法を実行するためのコンピュータ実行可能命令を有し、上記方法は、資金を、少なくとも１つの第１の通貨で第１の金利にて借入する手順と、借入した上記資金の一部を少なくとも１つの第２の通貨に両替する手順と、上記第１の通貨で借入した上記資金の借入費用の少なくとも一部を補填する利払いがある投資物件に、借入した上記資金の上記一部を投資する手順と、借入した上記資金の残余部に基づいて第３の通貨を提供する手順と、を備える。
【００１４】
本発明の例示的実施形態による合成通貨を形成するシステムは、投資額算出装置と、合成通貨生成装置と、を備える。上記投資額算出装置は、少なくとも１つの第１の通貨で、第１の金利にて借入される資金を算出し、その資金は、少なくとも１つの第２の通貨に両替され、第１の通貨で借入した上記資金の借入費用の少なくとも一部を補填する利払いがある投資物件に投資される資金である。また、合成通貨生成装置は、借入した上記資金の残余部に基づいて第３の通貨を提供する。
【００１５】
これらおよびこれ以外の本発明の特徴は、本発明の種々の例示的実施形態についての以下の詳細な説明において説明されるか、もしくは、以下の詳細な説明から明白である。
【図面の簡単な説明】
【００１６】
本発明の種々の例示的実施形態を、以下の図面を参照して詳述する。
【図１】本発明の例示的実施形態による合成通貨を生成する方法を示すフローチャートである。
【図２】本発明の別の例示的実施形態による合成通貨を生成する方法を示すブロック図である。
【図３】本発明の例示的実施形態による合成通貨を生成するシステムを示すブロック図である。
【発明を実施するための形態】
【００１７】
［実施形態の詳細な説明］
本発明の種々の例示的実施形態は、キャリートレーディング（キャリー取引）の恩恵を利用する、合成通貨を生成するシステムおよび方法に関連する。特に、本発明のシステムおよび方法は、低金利通貨で借入して高金利通貨に投資することによって、合成通貨を生成する。さらに以下に詳細に説明するように、本発明のシステムおよび方法は、コンピュータを介して実行されることが可能である。つまり、コンピュータのソフトウェア上および／またはハードウェア上で利用可能であるとともにコンピュータ・プロセッサ上で実行可能なプログラミング命令として、コンピュータを介して実行されることが可能である。
【００１８】
図１は、本発明の例示的実施形態による合成通貨を生成する方法を示すフローチャートであり、フローチャートは参照符号１で表される。方法１の手順Ｓ０２において、金額Ｘが第１の通貨で第１の金利にて借入される。手順Ｓ０４において、第２の通貨での投資物件が選択されるが。当該投資物件からは、好ましくは第１の金利より高利率である、第２の金利の支払いが得られる。投資物件は、第１の金利より高い金利を提供するのであれば、どのような投資物件でも好適である。そのような投資物件としては、例えば、貸付、公債、デリバティブ契約、譲渡性預金、または、普通預金口座に預金したことから生じる利子等が挙げられる。さらに、その他に考えられる好適な投資物件は、その投資物件の価値が、２以上の資産の間での価値および金利の差異に応じて連動する投資物件である。その例としては、外国為替スワップやその他の好適なデリバティブ（金融派生商品）が挙げられる。また、合成通貨は、例えば公債、手形、有価証券、店頭取引（ＯＴＣ）商品、債務証書のような、種々の金融商品を形成する際に使用され得る。
【００１９】
手順Ｓ０６において、金額Ｙが算出される。金額Ｙは、金額Ｘの適正な一部を表す。その金額は、第２の通貨に両替されて投資物件に投資される必要のある金額である。投資物件からは第２の金利にて支払いがある。その結果、投資された金額Ｙは、金額Ｘを借入するのに付随する費用の少なくとも一部を補填する。本発明の例示的実施形態によれば、投資された金額Ｙは、金額Ｘを借入するのに付随する総費用を補填する。この場合、金額Ｙは、以下に示される数式（１）を用いて算出することが可能である。
【００２０】
【数１】
2010520545.tif 000003
上記において、
Ｙ＝第２の通貨に両替されて投資される、金額Ｘの一部
Ｘ＝第１の通貨で借入された金額
第１の金利＝金額Ｘの借入に付随する金利
第２の金利＝金額Ｙの投資に付随する金利
手順Ｓ０８において、金額Ｙは、投資物件に投資される。手順Ｓ１０において、金額Ｘの残余資金は、合成通貨として利用可能である。続いて合成通貨は、０％の金利、または合成通貨生成に際しての総体的利益を実現する、正の金利で貸付され得る。あるいは、合成通貨の貸付に課せられる金利は、金額Ｙを投資することから得られる利益と、金額Ｘを借入することに付随する費用との差額を、少なくとも補填するように、決定されてもよい。本発明の別の例示的実施形態では、合成通貨は負の金利で利用されてもよい。その際、合成通貨の長期的価値は、以下のように算出されてもよい。合成通貨の元の価値−ａ）利子費用（任意であるため正数でも負数でもよい）＋ｂ）１以上の通貨で借入する費用−ｃ）１以上の通貨で投資することによって受け取る利子＋ｄ）借入通貨および投資通貨の市場価値の変動＋ｅ）手数料。好ましくは、合成通貨の発行者は、低い合成通貨利子（またはできる限り負の金利が望ましく、その場合、借入に際して借主が貨幣を実際に受け取る）を課すことが好ましい。その最終目的は、投資によって受け取る利子と、合成通貨に課せられる利子との合計が、借入金額の利子費用と同等、もしくはそれ以上になることである。
【００２１】
本発明の合成通貨はキャリートレード戦略に基づくため、比較的低金利で、ほとんど変動率がないことを意図した借入に利用され得る。その際、合成通貨を形成する１以上の通貨に関する履歴データと、合成通貨の目標変動率と、が定期的に分析されてもよい。それは、目標変動率にて超過収益をもたらす１以上の借入通貨および投資通貨の最適ポートフォリオを生成するためである。１以上の通貨に関する履歴データには、例えば、１以上の借入通貨を用いた投資物件の収益率、通貨金利の変動、および通貨間の為替レートに関するデータが含まれ得る。合成通貨の発行者は、１以上の通貨で借入される額を、例えば週単位、月単位、もしくは半年単位のように、定期的に調整してもよい。低金利でほとんど変動率なく合成通貨を提供できるように合成通貨を定常状態に維持するためである。
【００２２】
本発明の例示的実施形態において、種々の通貨で資金を借入し、借入した資金の少なくとも一部をその他の種々の通貨に両替し、資金を借入するための費用を少なくとも補填する種々の投資物件に、両替された資金を投資することによって、合成通貨を生成してもよい。図２は、本発明の例示的実施形態による合成通貨を生成する方法を示すブロック図であり、ブロック図は、参照符号１００で表される。例えば、図２に示されるように、種々の第１の通貨建てである第１の資金１１５からなるブロック１１０が借入され得る。第１の通貨は、例えば、米ドル（ＵＳＤ）、オーストラリア・ドル（ＡＵＤ）、カナダ・ドル（ＣＡＤ）、スイス・フラン（ＣＨＦ）、欧州ユーロ（ＥＵＲ）、イギリス・ポンド（ＧＢＰ）、および日本円（ＪＰＹ）であってよい。当然のことながら、他の通貨を適宜用いることも可能である。第１の資金１１５の各々は、各資金１１５の通貨の種類に応じて対応する金利を有する。しかしながら、図２において「借入金利」と表される、第１の資金のブロックを借入する際の総体的金利は、第１の資金１１５の各金利に基づいて算出され得る。第１の資金１１５各々の一部または全部が、続いて第２の資金１２０に両替され得る。第２の資金１２０の各々は、種々の第２の通貨建てであり、第２の資金１２０からなるブロック１２５を形成する。第２の資金１２０の各々が、続いて投資物件に投資される。投資の対象は、対応する第１の資金１１５を借入するための費用の一部、総額、もしくは総額を上回る額に及ぶ利払いがある投資物件である。各投資物件は、対応する金利収益を有する。しかしながら、図２において「投資金利」と表される、投資物件からもたらされる総体的金利は、第２の資金１２０によってもたらされる各金利に基づいて算出され得る。その結果、第２の資金１２０の投資物件の総額が、第１の資金１１５を借入するための費用を補填するかどうかが算出され得る。第１の資金１１５の残余総額、または、借入利子費用を上回って得られた付加的利子が、続いて合成通貨として利用可能となり得る。また、第１の資金１１５の価値の変動、および第２の資金１２０の価値の変動も、合成通貨として利用可能となり得る。
【００２３】
図３は、本発明の例示的実施形態による合成通貨を生成するシステムを示すブロック図であり、ブロック図は、参照符号２００で表される。システム２００は、プロセッサ２１０、記憶装置２２０、投資額算出装置２３０、および合成通貨生成装置２４０を備える。投資額算出装置２２０および合成通貨生成装置２４０は、プロセッサ２１０上で動作するソフトウェア・コンポーネント、複数の別個のハードウェア・コンポーネントもしくは単独のハードウェア・コンポーネント、または、ハードウェア・コンポーネントとソフトウェア・コンポーネントとの組合せから構成され得る。
【００２４】
投資額算出装置２３０は、第１の通貨で借入された金額Ｘを、入力として受け取り、第２の通貨に両替され、投資されることになる金額Ｙを金額Ｘから算出する。例えば、投資額算出装置２３０は、金額Ｙを算出する際に数式（１）を用いてもよい。上述したように、金額Ｙでの投資物件は、金額Ｘを借入するための費用の少なくとも一部を補填することが好ましい。合成通貨生成装置２４０は、金額Ｘの残余資金に基づいて合成通貨を生成する。
【００２５】
本発明の種々の例示的実施形態において、生成された合成通貨の割当ては、電子通貨媒体にコード化され得る。そのようなコード化には、合成通貨の割当てのユーザ認証、暗号化等の、更なる手順が必要となり得る。電子通貨媒体は、例えば、電子マネーもしくは電子スマートカードであり得る。
【００２６】
以上に略述した例示的実施形態を参照して本発明を説明したが、多数の代替、修正、および変形が、当業者にとって自明であることはいうまでもない。したがって、上述したように、本発明の例示的実施形態は、限定を目的とするのではなく、例証を目的としている。本発明の趣旨および範囲から逸脱することなく、種々の変更が可能である。
【図１】
2010520545.tif 000004
【図２】
2010520545.tif 000005
【図３】
2010520545.tif 000006
【国際調査報告】
2010520545.tif 000007
2010520545.tif 000008